(57)【要約】【課題】開閉部の回動の軸配置に拘わらず、その開閉部が開放される際にその開閉部の筐体によって電線が損傷されるのを抑制することのできる画像読取装置の提供。【解決手段】原稿カバー４が、（Ａ）に示すように閉位置にある状態から、（Ｂ）に示すように開位置にある状態へ回動する際、原稿カバー４の後部カバー７７の下端７７Ａが電線の垂下部６４を装置の水平方向内側に押し込む可能性がある。このとき、下端７７Ａの矩形断面に垂下部６４が直接当接すると、その垂下部６４を構成する電線が損傷される可能性があるが、本実施形態では、下端７７Ａに設けられた円弧状の突起７９が垂下部６４に当接するので、電線が損傷されるのを良好に抑制することができる。【選択図】図８
2014103454.tif 000002
【特許請求の範囲】
【請求項１】
本体部と、
前記本体部の上方に、前記本体部の上面に対する開閉方向に回動可能で、かつ前記本体部に対して昇降可能に連結される開閉部と、
前記開閉部に設けられ、原稿を搬送する搬送部と、
前記本体部に設けられ、前記搬送部によって搬送される前記原稿の画像を読み取ってその読取結果に応じた信号を出力する本体部側読取部と、
前記本体部に設けられ、前記本体部側読取部が出力した信号を処理する処理部と、
前記開閉部と前記本体部側の前記処理部とを電気的に接続し、前記本体部と前記開閉部との間では、前記開閉部の筐体の、前記回動の軸に平行で当該軸に近い側の側面内壁から垂下して前記本体部の内部へ挿入された電線と、
前記側面内壁の下端から前記開閉部の内部方向に突出し、少なくとも前記電線に当接する側の面が曲面，多角形の少なくとも一方とされた突起と、
を備えたことを特徴とする画像読取装置。
【請求項２】
前記本体部の上側に設けられ、読取対象となる原稿が載置される原稿載置面を、
更に備え、
前記本体部側読取部は、前記原稿載置面の下方に沿って移動することによりその原稿載置面に載置された原稿の画像を読取可能であることを特徴とする請求項１に記載の画像読取装置。
【請求項３】
前記開閉部に設けられ、前記搬送部によって搬送される前記原稿の、前記本体部側読取部によって読み取られる面とは反対面の画像を読み取って、その読取結果に応じた信号を出力する開閉部側読取部を、
更に備え、
前記電線は、前記開閉部側読取部と前記本体部側の前記処理部とを電気的に接続することを特徴とする請求項１又は２に記載の画像読取装置。
【請求項４】
本体部と、
前記本体部の上方に、前記本体部の上面に対する開閉方向に回動可能で、かつ前記本体部に対して昇降可能に連結される開閉部と、
前記開閉部に設けられ、原稿を搬送する搬送部と、
前記開閉部に設けられ、前記搬送部によって搬送される前記原稿の画像を読み取ってその読取結果に応じた信号を出力する開閉部側読取部と、
前記本体部に設けられ、前記開閉部側読取部が出力した信号を処理する処理部と、
前記開閉部側読取部と前記本体部側の前記処理部とを電気的に接続し、前記本体部と前記開閉部との間では、前記開閉部の筐体の、前記回動の軸に平行で当該軸に近い側の側面内壁から垂下して前記本体部の内部へ挿入された電線と、
前記側面内壁の下端から前記開閉部の内部方向に突出し、少なくとも前記電線に当接する側の面が曲面，多角形の少なくとも一方とされた突起と、
を備えたことを特徴とする画像読取装置。
【請求項５】
前記電線の、前記本体部の内部へ挿入及び抜去される部分に貼着される貼着部材を、
更に備え、
前記突起は、前記電線の、前記貼着部材が貼着された部分よりも上方に当接することを特徴とする請求項１〜４のいずれか１項に記載の画像読取装置。
【請求項６】
前記電線は、前記側面内壁又はその側面内壁と反対側の前記開閉部の内部の構造物に少なくとも一部が取り付けられ、
前記突起は、前記電線の、前記取り付けられた部分と前記貼着部材が貼着された部分との間に当接することを特徴とする請求項５に記載の画像読取装置。
【発明の詳細な説明】
【技術分野】
【０００１】
本発明は、本体部と、その本体部の上方に、当該本体部の上面に対する開閉方向に回動可能で、かつ前記本体部に対して昇降可能に連結される開閉部と、を備え、前記本体部及び前記開閉部の少なくともいずれか一方に読取部を有する読取装置に関する。
【背景技術】
【０００２】
従来、この種の画像読取装置として、読取対象となる原稿が載置される原稿載置面を本体部の上面に備え、その本体部の内部に、前記原稿の画像を読み取る本体部側読取部、及びその読取部が出力した信号を処理する処理部を備えた装置が提案されている。また、その装置は、本体部に開閉可能な開閉部に、原稿を搬送する搬送部と、その搬送部によって搬送される原稿の、本体部側読取部によって読み取られる面とは反対面の画像を読み取る開閉部側読取部とを備えている（例えば、特許文献１参照。）。
【先行技術文献】
【特許文献】
【０００３】
【特許文献１】特開２０１１−２０５３４１号号公報
【発明の概要】
【発明が解決しようとする課題】
【０００４】
前記特許文献１の装置では、開閉部側読取部が出力した信号を、本体部の処理部へ、次のようにして送っている。すなわち、開閉部の筐体の、前記回動の軸に平行で当該軸に近い側の側面内壁から垂下して本体部の内部へ挿入された電線を介して、前記処理部へ送っている。その場合、前記開閉部の回動の軸を適切な位置に設定しないと、開閉部が開放される際に前記側面内壁の下端が電線を装置の水平方向内側に押し込み、その電線を損傷させる可能性がある。このため、特許文献１の装置では、前記回動の軸の配置に係る設計の自由度が低かった。
【０００５】
そこで、本発明は、開閉部の回動の軸配置に拘わらず、その開閉部が開放される際にその開閉部の筐体によって電線が損傷されるのを抑制することのできる画像読取装置の提供を目的としてなされた。
【課題を解決するための手段】
【０００６】
前記目的を達するためになされた本発明の画像読取装置は、本体部と、前記本体部の上方に、前記本体部の上面に対する開閉方向に回動可能で、かつ前記本体部に対して昇降可能に連結される開閉部と、前記開閉部に設けられ、原稿を搬送する搬送部と、前記本体部に設けられ、前記搬送部によって搬送される前記原稿の画像を読み取ってその読取結果に応じた信号を出力する本体部側読取部と、前記本体部に設けられ、前記本体部側読取部が出力した信号を処理する処理部と、前記開閉部と前記本体部側の前記処理部とを電気的に接続し、前記本体部と前記開閉部との間では、前記開閉部の筐体の、前記回動の軸に平行で当該軸に近い側の側面内壁から垂下して前記本体部の内部へ挿入された電線と、前記側面内壁の下端から前記開閉部の内部方向に突出し、少なくとも前記電線に当接する側の面が曲面，多角形の少なくとも一方とされた突起と、を備えたことを特徴としている。
【０００７】
このように構成された本発明では、電線が、本体部に開閉方向に回動可能かつ昇降可能に接続された開閉部の筐体の、前記回動の軸に平行で当該軸に近い側の側面内壁から垂下して前記本体部の内部へ挿入されている。そして、この電線は、前記開閉部と前記本体部側の処理部とを電気的に接続する。
【０００８】
また、前記側面内壁の下端には、前記開閉部の内部方向に突出した突起が設けられ、その突起の少なくとも前記電線に当接する側の面は曲面，多角形の少なくとも一方とされている。このため、前記回動の軸の配置によっては、前記側面内壁下端の突起が電線を装置の水平方向内側に押し込む可能性があるが、その表面が曲面又は多角形であるので、電線が損傷されるのを良好に抑制することができる。したがって、本発明では、前記回動の軸の配置に係る設計の自由度を向上させることができる。
【０００９】
なお、本発明において、前記本体部の上側に設けられ、読取対象となる原稿が載置される原稿載置面を、更に備え、前記本体部側読取部は、前記原稿載置面の下方に沿って移動することによりその原稿載置面に載置された原稿の画像を読取可能であってもよい。このように、本体部の上側に設けられた原稿載置面に載置された原稿の画像を本体側読取部で読み取る場合、その原稿が本などである場合に備えて開閉部を本体部に昇降可能に連結する必要性が高まる。そして、そのように昇降可能とすることで、開閉部の前記側面内壁の下端が電線を押し込む可能性が高まるが、本発明では、前述のように、そのように電線が押し込まれても損傷を抑制することができる。したがって、この場合、本発明の効果が一層顕著に表れる。
【００１０】
また、本発明において、前記開閉部に設けられ、前記搬送部によって搬送される前記原稿の、前記本体部側読取部によって読み取られる面とは反対面の画像を読み取って、その読取結果に応じた信号を出力する開閉部側読取部を、更に備え、前記電線は、前記開閉部側読取部と前記本体部側の前記処理部とを電気的に接続してもよい。このように、電線が開閉部に設けられた開閉部側読取部と本体部に設けられた処理部とを電気的に接続する場合、その損傷を抑制する要請が一層強くなる。したがって、この場合、本発明の効果が一層顕著に表れる。
【００１１】
また、前記目的を達するためになされた本発明の画像読取装置は、本体部と、前記本体部の上面に対する開閉方向に回動可能で、かつ前記本体部に対して昇降可能に連結される開閉部と、前記開閉部に設けられ、原稿を搬送する搬送部と、前記開閉部に設けられ、前記搬送部によって搬送される前記原稿の画像を読み取ってその読取結果に応じた信号を出力する開閉部側読取部と、前記本体部に設けられ、前記開閉部側読取部が出力した信号を処理する処理部と、前記開閉部側読取部と前記本体部側の前記処理部とを電気的に接続し、前記本体部と前記開閉部との間では、前記開閉部の筐体の、前記回動の軸に平行で当該軸に近い側の側面内壁から垂下して前記本体部の内部へ挿入された電線と、前記側面内壁の下端から前記開閉部の内部方向に突出し、少なくとも前記電線に当接する側の面が曲面，多角形の少なくとも一方とされた突起と、を備えたことを特徴とするものであってもよい。
【００１２】
このように構成された画像読取装置でも、電線が、本体部に開閉方向に回動可能かつ昇降可能に接続された開閉部の筐体の、前記回動の軸に平行で当該軸に近い側の側面内壁から垂下して前記本体部の内部へ挿入されている。そして、この電線は、開閉部側読取部と前記本体部側の処理部とを電気的に接続する。
【００１３】
また、前記側面内壁の下端には、前記開閉部の内部方向に突出した突起が設けられ、その突起の少なくとも前記電線に当接する側の面は曲面，多角形の少なくとも一方とされている。このため、前記回動の軸の配置によっては、前記側面内壁下端の突起が電線を装置の水平方向内側に押し込む可能性があるが、その表面が曲面又は多角形であるので、電線が損傷されるのを良好に抑制することができる。したがって、本発明では、前記回動の軸の配置に係る設計の自由度を向上させることができる。
【００１４】
また、前記各発明において、前記電線の、前記本体部の内部へ挿入及び抜去される部分に貼着される貼着部材を、更に備え、前記突起は、前記電線の、前記貼着部材が貼着された部分よりも上方に当接してもよい。電線の本体部内部へ挿入及び抜去される部分に貼着部材を貼着すると、その電線の本体部への挿入及び抜去を円滑化することができる。但し、電線の前記貼着部材が貼着された部分は、前記突起に当接してもその曲面又は多角形に倣って曲がりにくく、前記突起によって前記損傷を抑制する効果が十分に発揮できない場合がある。そこで、このように、前記突起を前記電線の前記貼着部材が貼着された部分よりも上方に当接させれば、その電線は突起に倣って曲がりやすく、前記突起による前記損傷を抑制する効果が安定して発揮される。
【００１５】
そして、更にその場合、前記電線は、前記側面内壁又はその側面内壁と反対側の前記開閉部の内部の構造物に少なくとも一部が取り付けられ、前記突起は、前記電線の、前記取り付けられた部分と前記貼着部材が貼着された部分との間に当接してもよい。この場合、電線の前記突起に当接する部分は前述のようにその突起に倣って曲がりやすい。また、その部分よりも上方の電線は、一部が前記側面内壁又はその対向部に取り付けられているので、開閉部が開閉されてもその開閉部内部で電線の配置が変動しない。よって、開閉部内部に設けられた機器の動作も安定する。
【図面の簡単な説明】
【００１６】
【図１】実施形態の複合機を表す斜視図で、（Ａ）は原稿カバー閉鎖時、（Ｂ）は原稿カバー開放時である。
【図２】その複合機の画像読取部の搬送部使用時を表す斜視図である。
【図３】その画像読取部の構成を表す中央断面図である。
【図４】その画像読取部のイメージセンサの配置及び配線を表す斜視図である。
【図５】その画像読取部の後部における配線を表す斜視図である。
【図６】その配線における貼着部材の効果を表す説明図である。
【図７】前記画像読取部の後部カバーの構成を表す斜視図である。
【図８】その後部カバーの効果を表す説明図である。
【発明を実施するための形態】
【００１７】
次に、本発明の実施形態について一例を挙げて説明する。本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係をわかりやすくするため、図中に併記した上下左右前後の各方向を利用して説明をする。
【００１８】
［第１実施形態の複合機の構造］
図１（Ａ）に示すように、複合機１は、画像形成部２と、画像形成部２の上側に搭載された画像読取部３と、画像読取部３の上側に搭載された原稿カバー４（開閉部の一例）とを備えている。なお、画像形成部２及び画像読取部３が本体部の一例に相当する。図１（Ｂ）に示すように、原稿カバー４は、ヒンジ部１０（図５参照）によって画像読取部３の上面における後側の辺を中心に回動可能に構成されている。そして、原稿カバー４は、図１（Ａ）に示す閉位置と図１（Ｂ）に示す開位置との間で開閉動作する。また画像読取部３は画像形成部２の上面における後側の辺を中心に回動可能に構成されている。そして、画像読取部３は、図１（Ａ）に示すように画像形成部２の上面を覆う閉位置と、画像形成部２の上面を露出させる開位置との間で開閉動作する。
【００１９】
画像形成部２は、図示省略したプリンタエンジン（図示省略）及び処理部１００（図４参照）等を内蔵しており、画像形成部２、画像読取部３、及び原稿カバー４に配設された各種機構は、画像形成部２が備える処理部１００によって制御される。
【００２０】
原稿カバー４を開位置へ変位させると、図１（Ｂ）に示すように画像読取部３の上面にある原稿載置面（後述する透明部２５の上面）が露出する。また、図１（Ａ）に示すように、原稿カバー４を閉位置配設すると、原稿カバー４は、原稿載置面を覆う。
【００２１】
画像形成部２の前部上側には、操作者によって操作される操作パネル７が設けられている。また、画像形成部２において、操作パネル７の下方には、印刷後の被記録媒体を排出する排出口８が形成され、更にその下方には、印刷前の被記録媒体が収納される給紙カセット９などが装着されている。
【００２２】
原稿カバー４の上面には、図１（Ａ）及び図２に示すように、開閉式の上面カバー１１が設けられている。この上面カバー１１は、上面カバー１１の右端付近において前後方向へと延びる軸線を中心に、原稿カバー４に対して回動可能に構成されている。上面カバー１１が閉位置にあるときには、図１（Ａ）に示すように下方に向けられていた上面カバー１１の裏面側は、図２に示すように上面カバー１１を開位置へ変位させた際に、斜め上方に向けられる。すると、原稿カバー４の上面には、原稿台１２が露出する。
【００２３】
原稿台１２上には、原稿を前後方向から挟むことによって左右方向に案内する一対の原稿ガイド１３が設けられている。この原稿ガイド１３は、双方とも前後方向へスライド可能で、しかも、一方に連動して他方が前記一方とは逆方向へスライドする仕組みになっている。そのため、一対の原稿ガイド１３の間隔を変更する際には、一方を操作するだけで、双方を互いに接近又は離間する方向へスライドさせることができる。
【００２４】
また、原稿ガイド１３の上端には、仕切板１５が設けられている。搬送対象となる原稿は、この仕切板１５の下方にセットされる。また、後述する搬送経路に沿って原稿が搬送された場合、搬送済みの原稿は、仕切板１５の上方に排出される。
【００２５】
［画像読取部及び原稿カバーの詳細］
図３は、画像読取部３及び原稿カバー４を閉位置に配設し、上面カバー１１を開位置に配設した状態における、画像読取部３及び原稿カバー４の構成を表す中央断面図である。図３に示すように、画像読取部３には、第１イメージセンサ２１（本体部側読取部の一例）が設けられ、原稿カバー４には、第２イメージセンサ２２（開閉部側読取部の一例）が設けられている。本実施形態において、第１イメージセンサ２１及び第２イメージセンサ２２としては、双方とも密着型イメージセンサ（Contact Image Sensor）が採用されている。
【００２６】
第１イメージセンサ２１は、図示省略したモータによって駆動されて、画像読取部３の内部を左右方向（副走査方向）へ往復移動する構造とされている。また、第２イメージセンサ２２は、原稿カバー４内のフレームに取り付けられている。
【００２７】
また、画像読取部３側には、第１イメージセンサ２１の往復移動経路の上方となる位置に、透明部２５及び第１透明部２７が設けられている。また、原稿カバー４側には、第２イメージセンサ２２の下方となる位置に、第２透明部２８が設けられている。
【００２８】
透明部２５及び第１透明部２７は、双方とも画像読取部３の上面をなす位置にあり、本実施形態においては、これら透明部２５及び第１透明部２７が、単一のガラス板を利用して構成されている。また、第２透明部２８は、本実施形態においては、透明部２５及び第１透明部２７とは別のガラス板を利用して構成されている（図１（Ｂ）参照）。
【００２９】
また、図１（Ｂ）に示すように、原稿カバー４における第１透明部２７との対向位置には、第１イメージセンサ２１に係るシェーディング補正等の補正を行うための第１白基準板３１が設けられている。更に、画像読取部３における第２透明部２８との対向位置には、第２イメージセンサ２２に係るシェーディング補正等の補正を行うための第２白基準板３２が設けられている。
【００３０】
なお、透明部２５及び第１透明部２７は、それぞれが別のガラス板を利用して構成されていてもよい。また、透明部２５、第１透明部２７、及び第２透明部２８の材質は、第１イメージセンサ２１及び第２イメージセンサ２２による原稿の読み取りが可能な透明な材質であれば、ガラス以外の材質であってもよい。
【００３１】
また、原稿カバー４には、図３に示すように、供給ローラ４１、分離ローラ４２、搬送ローラ４３、Ｕターン搬送ローラ４４などのローラ群（搬送部の一例）が設けられ、これらのローラ間には原稿を適正な搬送方向へ案内するためのガイド面を提供する部材も配置されている。そのようなガイド面を提供する部材の一つとして、Ｕターン搬送ローラ４４の左方には、可動式の経路切替部材４５が設けられている。
【００３２】
経路切替部材４５は、経路切替部材４５の下端側において前後方向へと延びる軸線を回動中心として、原稿カバー４に対し回動可能な構造とされている。また、Ｕターン搬送ローラ４４の左方の原稿カバー４外面には、開閉可能なカバー部材４６が設けられている。
【００３３】
以上のように構成された複合機１では、原稿カバー４を利用して原稿を搬送しながら、次のようにその原稿の画像を読み取ることができる。すなわち、原稿カバー４が備えるローラ群が作動されると、供給ローラ４１によって搬送方向上流側から供給される原稿は、分離ローラ４２によって１枚ずつに分離されつつ、更に搬送方向下流側へと搬送される。
【００３４】
そして、搬送ローラ４３により、原稿が搬送方向下流側へと搬送されて、第１透明部２７を挟んで第１イメージセンサ２１と対向する第１読取位置を通過する。続いて、原稿は、第２透明部２８を挟んで第２イメージセンサ２２と対向する第２読取位置を通過し、Ｕターン搬送ローラ４４によって更に搬送される。
【００３５】
このとき、経路切替部材４５及びカバー部材４６が図３に示す位置にあれば、原稿は経路切替部材４５を介して折り返され、仕切板１５の上方に排出される。一方、経路切替部材４５及びカバー部材４６が図３に示す位置から図３における反時計回りに回動していれば、原稿は原稿カバー４の左方へいわゆるストレート排紙される。このようなストレート排紙は、原稿が例えば名刺等の厚紙である場合に利用される。なお、図１では、カバー部材４６の図示を省略している。
【００３６】
また、このように原稿が搬送される間に、片面読取が指定されている場合は、例えば第１イメージセンサ２１によって前記第１読取位置を通過する原稿の画像が読み取られる。一方、両面読取が指定されている場合は、第１イメージセンサ２１によって前記第１読取位置を通過する原稿の画像を読み取る動作と、第２イメージセンサ２２によって前記第２読取位置を通過する原稿の画像を読み取る動作とが、並行して実行される。
【００３７】
［イメージセンサの配置及び配線］
次に、本実施形態では、第１イメージセンサ２１と第２イメージセンサ２２とに同一製品を使用することにより、装置の製造コストを低減を図っている。但し、各センサとして同一製品の密着型イメージセンサを使用した場合、そのセンサを構成する複数の撮像素子の列と、その列に平行に配設された発光部と、前記列の一端側に設けられて前記各撮像素子からの信号を出力するコネクタとの位置関係も同一である。このため、第１イメージセンサ２１と第２イメージセンサ２２とを前述のように前後方向に長尺方向（主走査方向）を揃えて原稿の表裏に対向させると、原稿搬送方向に対する撮像素子と発光部との配列順序か、コネクタの前後方向の位置か、いずれか一方が異なってしまう。原稿搬送方向に対する撮像素子と発光部との配列順序が第１イメージセンサ２１と第２イメージセンサ２２とで異なると、原稿の先端，後端の検知が難しいといった課題が生じる。
【００３８】
そこで、本実施形態では、図４に示すように、２つの第１イメージセンサ２１，第２イメージセンサ２２のうち、第１イメージセンサ２１のコネクタ２１Ｅを後側に、第２イメージセンサ２２とのコネクタ２２Ｅを前側に、それぞれ配置している。コネクタ２１Ｅ，２２Ｅには、それぞれ、例えばフレキシブルフラットケーブル等からなる電線４９，６０がそれぞれ接続され、その電線４９，６０は、ヒンジ部１０の近傍を経由して画像形成部２の処理部１００へ配線されている。そのうち、第１イメージセンサ２１の後端側のコネクタ２１Ｅに接続された電線４９は、そのまま画像読取部３の第１イメージセンサ２１の移動範囲を引き回された後、画像形成部２へ配線される。
【００３９】
一方、第２イメージセンサ２２の前端側のコネクタ２２Ｅに接続された電線６０は、第２イメージセンサ２２の上方を前後方向横切った後に、左側のヒンジ部１０の近傍を通って画像形成部２へ配線される。以下、この配線について詳細に説明する。
【００４０】
図４に示すように、電線６０のうちコネクタ２２Ｅに接続される先端部６１は、そのコネクタ２２Ｅの上方で、蛇腹状（葛折り状）に折り曲げられている。このため、第２イメージセンサ２２は、図１（Ｂ）に示すように原稿カバー４を開位置に配設して、第２透明部２８を取り外した後、先端部６１を平坦に延ばしながら取り出すことができる。したがって、第２イメージセンサ２２は容易に交換することができる。
【００４１】
図４に戻って、先端部６１に連接されて第２イメージセンサ２２の上方を前後方向に水平に渡される水平部６２は、第２イメージセンサ２２を収容するケース９０（図３参照）の上に支持される。水平部６２の後端に連接される電線６０は、２回直角に折り返されることによって台形の折り返し部６３を構成している。折り返し部６３の水平部６２とは反対側の端部に連接される電線６０は、画像読取部３に向かって垂下する垂下部６４を構成している。
【００４２】
図５に示すように、折り返し部６３は、原稿カバー４の後端フレーム７０（構造物の一例）よりも後側に配設され、その後端フレーム７０に形成されたフック７１に掛けられている。後端フレーム７０は、前述のＵターン搬送ローラ４４などのローラ群に駆動力を伝達するためのギヤ列７２を回転可能に支持している。そのギヤ列７２の側を向いた折り返し部６３の面には、図示省略した両面粘着テープを介して保護板７３（例えばフィルム）が貼着されている。この保護板７３は、電線６０とギヤ列７２との接触を抑制するものである。更に、垂下部６４には、折り返し部６３との連接部分から少し間隔を開けて、貼着部材７４（例えば樹脂板）が貼着されている。
【００４３】
ここで、ヒンジ部１０は、画像読取部３に対して上下動可能で、かつ、原稿カバー４を前述のように回動可能に支持している。このため、原稿カバー４は、図６（Ａ）に示すように、ヒンジ部１０と共に下降した下降位置では、透明部２５に載置された１枚の単票紙等の原稿を押さえることができる。また、図６（Ｂ）に示すように、ヒンジ部１０と共に上昇した上昇位置では、透明部２５に載置された本等の原稿を押さえることができる。
【００４４】
このため、貼着部材７４は、次のような役割を果たす。すなわち、図６（Ａ），（Ｂ）に示すように、垂下部６４は、画像読取部３の後端上方に設けられた開口部７５を介して画像読取部３の内部の空間７６に挿入されている。空間７６は、原稿カバー４が上昇位置から下降位置へ移動したときに、垂下部６４を受け入れる容積を有している。ところが、貼着部材７４がないと、図６（Ｃ）または図６（Ｄ）に示すように、原稿カバー４が上昇位置から下降位置へ移動する際に、垂下部６４が画像読取部３と原稿カバー４との間で撓む場合がある。すると、撓んだ垂下部６４が画像読取部３と原稿カバー４との間に挟まれて、損傷する可能性もある。そこで、本実施形態では、垂下部６４に貼着部材７４を貼着することで開口部７５に対する滑りをよくしている。また、貼着部材７４は、開口部７５と接触する部分を撓みにくくする効果も有している。このため、本実施形態では、垂下部６４が画像読取部３と原稿カバー４との間で撓むのを抑制することができる。
【００４５】
更に、図６に示すように、原稿カバー４の後端フレーム７０の更に後側には、後部カバー７７（筐体の一例）が装着され、電線６０の一部はこの後部カバー７７と後端フレーム７０との間に配設されている。図７は、後部カバー７７の構成を表す斜視図である。図７に示すように、後部カバー７７の前面には、原稿カバー４の内部方向に突出した円弧状の板状の突起７９が複数（図７の例では７個）形成されている。なお、この突起７９は、垂下部６４における貼着部材７４の貼着部と折り返し部６３との連接部分との間に、電線６０の幅方向全体に均等に当接するように形成されている。また、この突起７９は、原稿カバー４の回動の軸と平行な軸を有する円弧状の板状に構成され、その下端７７Ａが後部カバー７７の下端まで達している。
【００４６】
［本実施形態の効果及びその変形例］
このため、本実施形態では、次のような効果が生じる。すなわち、原稿カバー４が、図８（Ａ）に示すように閉位置にある状態から、図８（Ｂ）に示すように開位置にある状態へ回動する際、その回動の軸の配置によっては、後部カバー７７の下端７７Ａが垂下部６４を装置の水平方向内側に押し込む可能性がある。このとき、下端７７Ａの矩形断面に垂下部６４が直接当接すると、その垂下部６４を構成する電線６０が損傷される可能性がある。これに対して本実施形態では、下端７７Ａに設けられた円弧状の突起７９が垂下部６４に当接するので、電線６０が損傷されるのを良好に抑制することができる。したがって、本実施形態では、前記回動の軸の配置に係る設計の自由度を向上させることができる。
【００４７】
また、電線６０の貼着部材７４が貼着された部分は、突起７９に当接してもその曲面に倣って曲がりにくく、突起７９によって前記損傷を抑制する効果が十分に発揮できない場合がある。これに対して、本実施形態では、突起７９を電線６０の貼着部材７４が貼着された部分よりも上方に当接させているので、電線６０は突起７９に倣って曲がりやすく、突起７９による前記損傷を抑制する効果が安定して発揮される。
【００４８】
しかも、本実施形態では、突起７９に当接する部分よりも上方の電線６０は折り返し部６３として後端フレーム７０に取り付けられているので、原稿カバー４が開閉されてもその原稿カバー４の内部で電線６０の配置が変動しない。よって、原稿カバー４の内部に設けられた機器の動作も安定する。
【００４９】
なお、本発明は前記実施形態に何ら限定されるものではなく、本発明の要旨を逸脱しない範囲で種々の形態で実施することができる。例えば、突起７９は前記円弧状の断面を有する柱状の連続した突起としてもよい。また、本発明における電線は、フレキシブルフラットケーブルに限定されるものではなく、種々の電線を適用することができる。また、本発明は、原稿カバー４に第２イメージセンサ２２を備えず、第１読取位置を搬送される原稿を第１イメージセンサ２１を使用して読み取るタイプの画像読取装置にも同様に適用することができる。その場合、電線６０には、Ｕターン搬送ローラ４４などのローラ群に対する制御信号等が供給される。
【符号の説明】
【００５０】
１…複合機                  ２…画像形成部              ３…画像読取部
４…原稿カバー              １０…ヒンジ部              ２１…第１イメージセンサ
２１Ｅ…コネクタ            ２２…第２イメージセンサ    ２２Ｅ…コネクタ
４１…供給ローラ            ４２…分離ローラ            ４３…搬送ローラ
４４…Ｕターン搬送ローラ    ４９，６０…電線            ６４…垂下部
７０…後端フレーム          ７１…フック                ７４…貼着部材
７７…後部カバー            ７９…突起                  １００…処理部
【図１】
2014103454.tif 000003
【図２】
2014103454.tif 000004
【図３】
2014103454.tif 000005
【図４】
2014103454.tif 000006
【図５】
2014103454.tif 000007
【図６】
2014103454.tif 000008
【図７】
2014103454.tif 000009
【図８】
2014103454.tif 000010